【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
要素のバンクを有するフィルタを提供し、各要素が所定範囲の制御コード値を有する制御コードにおけるビットによって選択可能であり、選択された要素のさまざまな組み合わせが前記フィルタのさまざまな発振周波数を生成し、
逐次近似に基づくアルゴリズムを用いて前記フィルタを所望の周波数に同調させ、
前記同調は前記制御コード値の中間値と同じ前記制御コードの初期値を設定することから成るフィルタを所望の周波数に同調させる方法。
【請求項２】
前記制御コードの１最下位ビットの最大誤りで前記フィルタが前記所望の周波数に同調する請求項１に記載の方法。
【請求項３】
前記同調が、
ａ）前記制御コードにおける全ビットを０に設定し、前記制御コードがＬ〜Ｍの番号（ＭはＬより大きい）を振られた位置を有する複数のビットからなるステップと、
ｂ）現在のビット数をＭに等しく設定し、
ｃ）前記制御コードにおける前記現在のビット数の位置を有する前記ビットを１に設定して現在の制御コードを生成する請求項１に記載の方法。
【請求項４】
前記同調が、
ｄ）前記現在の制御コードによって生成される前記フィルタの現在の発振周波数が前記所望の周波数より大きいか否かを判定し、
ｅ）前記フィルタの前記現在の発振周波数が前記所望の周波数より大きい場合に前記制御コードにおける前記現在のビット数の位置を有するビットを０に設定し、
ｆ）前記現在のビット数を１だけ減らし、
ｇ）前記制御コードにおける前記現在のビット数の位置を有するビットを１に設定して前記現在の制御コードを生成し、
ｈ）前記現在のビット数の値がＬマイナス１に等しいか否かを検査し、
ｉ）前記現在のビット数の前記値がＬマイナス１に等しくなるまでステップｄ、ｅ、ｆ、ｇ、およびｈを繰り返す請求項３に記載の方法。
【請求項５】
前記制御コードの前記値が増加するにつれて前記フィルタの発振周波数が単調に増加する請求項４に記載の方法。
【請求項６】
前記同調が、
ｄ）前記現在の制御コードによって生成される前記フィルタの現在の発振周波数が前記所望の周波数より小さいか否かを判定し、
ｅ）前記フィルタの前記現在の発振周波数が前記所望の周波数より小さい場合に前記制御コードにおける前記現在のビット数の位置を有する前記ビットを０に設定し、
ｆ）前記現在のビット数を１だけ減らし、
ｇ）前記制御コードにおける前記現在のビット数の位置を有する前記ビットを１に設定して前記現在の制御コードを生成し、
ｈ）前記現在のビット数の前記値がＬマイナス１に等しいか否かを検査し、
ｉ）前記現在のビット数の前記値がＬマイナス１に等しくなるまでステップｄ、ｅ、ｆ、ｇ、およびｈを繰り返す請求項３に記載の方法。
【請求項７】
前記制御コードの前記値が増加するにつれて前記フィルタの発振周波数が単調に減少する請求項６に記載の方法。
【請求項８】
前記制御コードの前記値が増加するにつれて前記フィルタの発振周波数が単調に減少し、
前記同調が、さらに前記ステップｄの前において前記現在の制御コードにおける各々のビットを転化する請求項６に記載の方法。
【請求項９】
前記同調は、さらに、
前記制御コードにより生成される前記フィルタの発振周波数と前記所望の周波数とを比較し、
前記比較に基づき、前記制御コードの範囲の３／４あるいは１／４の等しい値に、前記制御コードの値を調整する請求項１に記載の方法。
【請求項１０】
前記同調は、さらに、
前記制御コードにより生成される前記フィルタの発振周波数と前記所望の周波数とを繰り返して比較し、
前記比較に基づき前記制御コードの値を繰り返して調整し、前記制御コードの各々のビットの値は前記制御コードの最も重要なビットから最も重要でないビットにおいて決定される請求項１に記載の方法。
【請求項１１】
各要素が所定範囲の制御コード値を有する制御コードにおけるビットによって選択可能であり、選択された要素のさまざまな組み合わせが前記フィルタのさまざまな発振周波数を生成し、要素のバンクを有するフィルタを提供する手段と、
逐次近似に基づくアルゴリズムを用いて前記フィルタを所望の周波数に同調させる手段と、
前記同調させる手段は前記制御コード値の中間値と同じ前記制御コードの初期値を設定する手段から成るフィルタを所望の周波数に同調させる装置。
【請求項１２】
各要素が所定範囲の制御コード値を有する制御コードにおけるビットによって選択可能であり、選択された要素のさまざまな組み合わせがフィルタのさまざまな発振周波数を生成し、要素のバンクを有するフィルタと、
前記フィルターと連結され、逐次近似に基づくアルゴリズムを用いて前記フィルタを所望の周波数に同調させ、さらに、前記制御コード値の中間値と同じ前記制御コードの初期値を設定するコントローラーと、から成る回路。
【請求項１３】
前記コントローラーは、前記制御コードの最も重要でない１つのビットの最大のエラーによって前記フィルタを所望の周波数に同調させ
る請求項１２記載の回路。
【請求項１４】
前記制御コードがＬ〜Ｍの番号（ＭはＬより大きい）を振られた位置を有する複数のビットから成り、前記制御コードにおける全ビットを０に設定し、
現在のビット数をＭに等しく設定し、
前記制御コードにおける前記現在のビット数の位置を有する前記ビットを１に設定して前記現在の制御コードを生成することにより、前記コントローラーは、前記制御コードの前記初期値を設定する請求項１２記載の回路。
【請求項１５】
前記制御コードの前記値が増加するにつれて前記フィルタの発振周波数が単調に増加し、
さらに、前記フィルターと前記コントローラーと連結され、前記現在の制御コードによって生成される前記フィルタの現在の発振周波数が前記所望の周波数より大きいか否かを判定するコンパレーターを有し、
前記コントローラーは、前記フィルターを反復して同調させ、前記フィルタの前記現在の発振周波数が前記所望の周波数より大きい場合に前記制御コードにおける前記現在のビット数の位置を有するビットを０に設定し、
前記現在のビット数を１だけ減らし、
前記制御コードにおける前記現在のビット数の位置を有するビットを１に設定して前記現在の制御コードを生成し、
前記現在のビット数の値がＬマイナス１に等しいときに、前記コントローラーは、さらに、前記反復を止める請求項１４記載の回路。
【請求項１６】
前記フィルターは、抵抗バンクと連結されるコンデンサーから成り、
各々の抵抗器は前記制御コードにおけるビットにより選択可能である複数の抵抗器から前記抵抗バンクは成る請求項１５記載の回路。
【請求項１７】
前記制御コードの前記値が増加するにつれて前記フィルタの発振周波数が単調に減少し、
さらに、前記フィルターと前記コントローラーと連結され、前記現在の制御コードによって生成される前記フィルタの現在の発振周波数が前記所望の周波数より小さいか否かを判定するコンパレーターを有し、
前記コントローラーは、前記フィルターを反復して同調させ、前記フィルタの前記現在の発振周波数が前記所望の周波数より小さい場合に前記制御コードにおける前記現在のビット数の位置を有するビットを０に設定し、
前記現在のビット数を１だけ減らし、
前記制御コードにおける前記現在のビット数の位置を有するビットを１に設定して前記現在の制御コードを生成し、
前記現在のビット数の値がＬマイナス１に等しいときに、前記コントローラーは、さらに、前記反復を止める請求項１４記載の回路。
【請求項１８】
前記フィルターは、抵抗バンクと連結されるコンデンサーから成り、
各々の抵抗器は前記制御コードにおけるビットにより選択可能である複数の抵抗器から前記抵抗バンクは成る請求項１７記載の回路。
【請求項１９】
前記フィルターと前記コントローラーと連結され、前記制御コードによって生成される前記フィルタの発振周波数と前記所望の周波数とを比較するコンパレーターを有し、
前記はコントローラーは、さらに、前記比較に基づき、前記制御コードの範囲の３／４あるいは１／４の等しい値に、前記制御コードの値を調整する請求項１２に記載の回路。
【請求項２０】
前記フィルターと前記コントローラーと連結され、前記制御コードによって生成される前記フィルタの発振周波数と前記所望の周波数とを繰り返して比較するコンパレーターを有し、
前記はコントローラーは、さらに、前記比較に基づき、前記制御コードの値を繰り返して調整し、前記制御コードの各々のビットの値は前記制御コードの最も重要なビットから最も重要でないビットにおいて決定される請求項１２に記載の回路。
【請求項２１】
テレビジョンチューナを有する請求項１２に記載の回路。